(57)【要約】【課題】部品点数を少なくかつ組み付け作業性に優れたプロセスコントローラを提供する。【解決手段】プレート面の所定位置にファスナ１２及び支持体１３が立設されたベースプレート１０と、当該ベースプレート１０上に架設された細長のプリント基板２０と、プリント基板２０の長手方向に直列に配置された端子台２１及びコネクタ２２とを有し、ベースプレート１０にはその一辺縁部の少なくとも一部に起立部１１が形成され、プリント基板２０の一側端部は起立部１１に形成された係合孔１１ａに係合され、プリント基板２０の他側端部はファスナ１２に着脱自在に取り付けられ、プリント基板２０はその両端部間で支持体１３によって更に支持されている。【選択図】        図３
2004165407.tif 000002
【特許請求の範囲】
【請求項１】
プレート面の所定位置に絶縁性の係合片及び絶縁性の支持体が立設されたベースプレートと、
当該ベースプレート上に架設される細長のプリント基板と、
前記プリント基板の長手方向に直列に配置された端子台及びコネクタとを有し、
前記ベースプレートにはその一辺縁部の少なくとも一部に起立部が形成され、
前記プリント基板の一側端部は前記起立部に形成された係合孔に係合され、前記プリント基板の他側端部は前記係合片に着脱自在に取り付けられ、
前記プリント基板はその長手方向中間位置において前記支持体によって更に支持されていることを特徴とするプロセスコントローラ。
【請求項２】
前記ベースプレートには、前記プリント基板のコネクタを取り囲むカバーが取り付けられ、前記端子台と前記コネクタとの間は前記カバーの一部を構成する絶縁板により仕切られ、
かつ前記プリント基板の端子台とコネクタとで挟まれた領域が前記絶縁板の一辺縁部と前記支持体とで挟持されていることを特徴とする、請求項１に記載のプロセスコントローラ。
【請求項３】
前記プリント基板は前記ベースプレートに並列配置された複数のプリント基板からなり、前記支持体は複数の支持体からなり、かつ各支持体が前記複数のプリント基板のそれぞれに対応して前記ベースプレートに立設され、
前記絶縁板は単一の絶縁板からなり、前記絶縁板の一辺縁部と前記各支持体とで前記各プリント基板の端子台とコネクタとで挟まれた領域をそれぞれ挟持することを特徴とする、請求項１に記載のプロセスコントローラ。
【請求項４】
請求項１乃至請求項３の何れかに記載のプロセスコントローラを備えた制御盤。
【発明の詳細な説明】
【０００１】
【発明が属する技術分野】
本発明は、監視装置などのコンピュータとアクチュエータやセンサとの間に介在させる制御盤に収容され、これらの間でデータのやり取りを行うのに使用されるプロセスコントローラに関する。
【０００２】
【従来の技術】
従来からバルブの開度制御や差圧センサを用いた流量制御が集中型監視装置で行われることがあり、かかる制御に際してこれらの間でデータのやり取りを行うために制御盤が使用されている。すなわち、コンピュータによる監視装置からの制御信号を当該制御盤に収容されたプロセスコントローラのプログラムを介して各種アクチュエータに伝達すると共に、各種センサからの出力信号を同じくプロセスコントローラのプログラムを介して選択装置に伝達している。
【０００３】
そして、かかるプロセスコントローラ（制御用機器）を収容した制御盤（電気部品収容盤）が知られている（例えば、特許文献１参照。）。
【０００４】
このような従来型のプロセスコントローラの構造の一例について説明する。このプロセスコントローラは、例えば矩形のベースプレートと、ベースプレートのプレート面に所定の隙間を保ちながら併設配置された細長のプリント基板（端子台ボード）と、ベースプレート及びプリント基板の半部を覆う金属製のカバーとを備えている。
【０００５】
ここで上述のプリント基板５０を図７に示す。プリント基板５０にはアクチュエータやセンサからの電線を接続する端子台５１とＩ／Ｏボード用コネクタ５２が基板長手方向に直列配置されている。そして、プリント基板５０のＩ／Ｏボード用コネクタ５２側は、これに接続されるＩ／Ｏボードやその他のＣＰＵボードや、通信用ボードと共に図示しないカバーで取り囲まれ外部から保護されている。一方、端子台５１は電線接続作業を行ない易くするためにカバー外部に露出された状態でプリント基板上に配置されている。
【０００６】
また、プリント基板５０の長手方向にはプリント基板の撓みを防止するＬ型アングル５５が多数のネジ５６を介して取り付けられている。すなわち、Ｌ型アングル５５の一辺５５ａがプリント基板５０の基板面に当接固定され、他辺５５ｂがプリント基板の基板面から垂下している。なお、プリント基板５０はその両端部がベースプレートに支持されるだけでなく、Ｌ型アングル５５の他辺がベースプレートに当接することでも支持されている。
【０００７】
一方、カバーはベースプレートの隣接する３つの縁辺部に沿って取り付けられる側方カバーと、プリント基板の端子台とＩ／Ｏボード用コネクタとの間に立設配置される仕切りカバーと、これらのカバーによって形成される上方開口部を塞ぐ上方カバーとから構成されている。
【０００８】
また、プリント基板は、その長手方向一側端部がベースプレート縁辺の起立部にネジ５７によって締結固定され、他側端部が支持体としての役割も有する樹脂製のファスナに係合し、これら締結固定具によって固定支持されている。
【０００９】
【特許文献１】
特開２００２−４３７８３号公報（第４−５頁、図１、図８）
【発明が解決しようとする課題】
上述したようにプリント基板５０にはＬ型アングル５５が基板長手方向に沿って複数のネジ５６で固定されている。その上、プリント基板５０の一端部はネジ５７によってベースプレートに取り付けられている。従って、ベースプレートにこのようなプリント基板５０を複数併設配置するに当たって多数のネジ５６，５７を使用しなければならない。従って、かかるＬ型アングル付きのプリント基板５０をベースプレートに多数組み付けるだけで多大な作業工数を必要とする。
【００１０】
一方、プロセスコントローラは制御盤に取り付けられた後に長期に亘って使用されるので、その間に継続的な振動を受ける場合があり、これによってプリント基板５０に締結された多数のネジ５６，５７のうち、一部のネジが脱落することがある。そして、このように脱落したネジ５６，５７がプリント基板５０の回路パターン間に接触して当該回路パターンを短絡するおそれがある。また、Ｌ型アングル５５自体金属でできているので、かかるネジ５６，５７の脱落により回路パターンがネジを介してＬ型アングル５５と導通し短絡（ショート）するおそれもある。
【００１１】
一方、プリント基板５０には端子台５１とこの端子台５１に並んで端子台の各端子番号を示した印刷部５０ｐがある。そして、プリント基板５０の端子台装着側からＬ型アングル取付用ネジ５６を螺合する関係上、Ｌ型アングル取付部はプリント基板５０のこれらの領域以外に設けなければならない。すなわち、Ｌ型アングル取付のための領域をプリント基板５０に設けなければならず、複数のプリント基板５０を併設配置する場合、これらプリント基板５０の占有面積が大きくなり、その結果、プロセスコントローラ５自体も大型化してしまう。
【００１２】
本発明の目的は、部品点数を少なくかつ組み付け作業性に優れた小型のプロセスコントローラを提供することにある。
【００１３】
【課題を解決するための手段】
上記課題を解決するために、本発明に係るプロセスコントローラは、プレート面の所定位置に絶縁性の係合片及び絶縁性の支持体が立設されたベースプレートと、当該ベースプレート上に架設される細長のプリント基板と、プリント基板の長手方向に直列に配置された端子台及びコネクタとを有し、ベースプレートにはその一辺縁部の少なくとも一部に起立部が形成され、プリント基板の一側端部は起立部に形成された係合孔に係合され、プリント基板の他側端部は係合片に着脱自在に取り付けられ、プリント基板はその長手方向中間位置で支持体によって更に支持されている。
【００１４】
プリント基板の一側端部をベースプレートの起立部に形成された係合孔に係合させるだけでプリント基板の一側端部を容易に支持できる。また、プリント基板の他側端部をベースプレート上に立設された係合片によって支持すると共に、プリント基板の両端部間をベースプレートに立設した支持体によって支持するので、プリント基板がベースプレート側に撓むのを防止する。また、従来のようにＬ型アングルを用いることなく支持体を介してプリント基板をベースプレート上に支持するので、Ｌ型アングル取り付けに伴う多数のネジをプリント基板に螺合させる必要がない。そのため、プロセスコントローラの使用に際して振動等によりネジが脱落することがなくなり、これに伴う基板回路パターン間の短絡（ショート）を阻止することができる。
【００１５】
また、請求項２に記載の本発明に係るプロセスコントローラは、請求項１に記載のプロセスコントローラにおいてベースプレートにはプリント基板のコネクタを取り囲むカバーが取り付けられ、端子台とコネクタとの間は絶縁板により仕切られ、かつプリント基板の端子台とコネクタとで挟まれた領域が絶縁板の一辺縁部と支持体とで挟持されている。
【００１６】
請求項１に記載したプリント基板のＬ型アングル省略に伴う組み付け作業効率の大幅な向上に加えて、Ｌ型アングルを省略することによって生じるＩ／ＯボードやＣＰＵボード等の引き抜きの際のプリント基板の浮き上がりを絶縁板の一辺縁部と支持体とでプリント基板を挟み込むことで阻止する。
【００１７】
また、本発明の請求項３に記載のプロセスコントローラは、請求項１に記載のプロセスコントローラにおいて、プリント基板はベースプレートに並列配置された複数のプリント基板からなり、支持体は複数の支持体からなり、かつ各支持体が複数のプリント基板のそれぞれに対応してベースプレートに立設され、絶縁板は単一の絶縁板からなり、絶縁板の一辺縁部と各支持体とで各プリント基板の端子台とコネクタとで挟まれた領域をそれぞれ挟持している。
【００１８】
ベースプレートに複数のプリント基板を並列配置したプロセスコントローラにおいて、複数のＬ型アングル及びこれを各プリント基板に取り付ける多数のネジを一切使用しないで済む。これによってプロセスコントローラの部品点数削減と組立て工数低減が図れる。併せて、カバーの絶縁板一枚と各支持体とで複数のプリント基板をまとめて挟持して基板浮き上がりを防止できるので、この点でもプロセスコントローラの部品点数削減と組立て工数低減が図れる。
【００１９】
また、本発明の請求項４に記載の制御盤は、請求項１乃至請求項３の何れかに記載のプロセスコントローラを備えた制御盤であり、制御盤に加わる振動等によりネジが脱落して故障することのない信頼性の高い制御盤である。
【００２０】
【発明の実施の形態】
以下、本発明の一実施形態にかかるプロセスコントローラについて図面に基づいて説明する。
【００２１】
本発明の一実施形態にかかるプロセスコントローラ１は図１に示すようにバルブ１０１の開度制御や差圧センサ１０２による流量制御等に使用され、監視装置１００とこれらアクチュエータやセンサとの間に介在した制御盤１１１，１１２・・に収容される制御用機器である。そして、図２に示すように矩形のベースプレート１０と、ベースプレート１０のプレート面との間に所定の隙間を保ちながら併設配置された細長のプリント基板２０と、ベースプレート１０及びプリント基板２０の約半分を覆うカバー３０（図４参照）を備えている。なお、図２では説明の都合上、プリント基板２０を２枚だけ装着した状態を示している。
【００２２】
各プリント基板２０にはアクチュエータに接続される電線用端子台２１とＩ／Ｏボード（図２では図示せず）が接続されるＩ／Ｏボード用コネクタ２２が基板長手方向に直列配置されている。そして、プリント基板のＩ／Ｏボード用コネクタ２２は、これに接続されるＩ／Ｏボードやその他のＣＰＵボードと共にカバー３０（図４参照）によって取り囲まれ外部から保護されている。一方、端子台２１は電線接続作業を行ない易くするためにカバー外部に露出された状態でベースプレート１０に取り付けられている。
【００２３】
プリント基板２０の一端部には、図５に詳細に示すように突起部２０ａが形成され、当該突起部２０ａがベースプレート縁辺の起立部１１に形成された長孔１１ａに係合している。一方、プリント基板２０の他端部は支持体としての役割も有する樹脂製のファスナ（係合片）１２に係合しプリント基板２０はこれらによってベースプレート上に架橋状に支持されている。なお、ファスナ１２はベースプレート１０に固定される基部１２ａと、プリント基板２０との係合孔（図示せず）と係合する位置決め突起１２ｂと、プリント基板２０の縁部とラッチ係合する爪部１２ｃとを備えている。
【００２４】
また、ベースプレート１０には各プリント基板２０に対応して樹脂でできた支持体１３が取り付けられている。支持体１３は頭部に平坦部１３ａを有し、この平坦部１３ａに各プリント基板２０の底面が当接するようになっている。また、支持体１３とベースプレート１０との間には高さ微調整用のワッシャ１３ｗが介装されている。
【００２５】
すなわち、図７に示す従来型のプロセスコントローラのようにプリント基板２０の長手方向に沿って金属製のＬ型アングルがネジを介して取り付けられていない。これは、複数のプリント基板２０のそれぞれに多数のネジを介してＬ型アングルを取り付けるのでは部品点数の増大や組み付け作業性の低下につながるのでこれを回避する必要があるためである。
【００２６】
また、プリント基板２０の一部がネジ等の締結具を介してベースプレート１０に取り付けられてもいない。これは、ネジ等を用いて複数のプリント基板２０を基板ごとにベースプレート１０に締結することで組立て作業効率が極端に低下するのを回避するためである。また、制御盤１１１，１１２・・に加わる振動等により多数のネジのうち何れかが脱落して電気回路の短絡（ショート）を招いたりするのを防止するためでもある。
【００２７】
一方、上述のようにプリント基板２０ごとに特別な工夫をすることなくＩ／Ｏボード引き抜き時の基板浮き上がりを防止するために、本実施形態にかかるプロセスコントローラ１はカバー３０の一部を利用している。以下、カバー３０の構造とともにこの基板浮き上がり防止構造を説明する。
【００２８】
カバー３０は、図２乃至図４に示すようにベースプレート１０の隣接する３つの縁辺部に沿って取り付けられる金属製の側方カバー３１と、プリント基板の端子台２１とＩ／Ｏボード用コネクタ２２との間に配置される仕切りカバー３２（図３、図４）と、これらのカバー３１，３２によって形成される上方開口部を塞ぐ金属製の上方カバー３３（図４）とから構成されている。なお、図２においては側方カバー３１を一部破断して示している。
【００２９】
カバー３０は例えばプリント基板２０のようなガラスエポキシ樹脂等の絶縁性部材でできており、仕切りカバー両端は金属製の側方カバー３１から突出形成された接続部（図２においては一方の接続部３１ａのみ図示）と樹脂製のファスナ４１を介して着脱自在に結合されている。また、上方カバー３３はその一側縁部に形成された突起部（図示せず）が仕切りカバー３２の係合孔（図示せず）に係合し、他側縁部は側方カバー３１から突出形成された係合片３１ｃ，３１ｄｂにファスナ４２を介して係合されるようになっている。そして、側方カバー３１、仕切りカバー３２、及び上方カバー３３にはそれぞれ内部発熱を放熱させる細長の放熱孔３１ｅ，３２ｅ，３３ｅが複数形成されている（図２乃至図４では孔は一部のみ図示）。また、側方カバー３２には外部コンピュータとの通信用コードを接続する孔部（図示せず）が形成されている。
【００３０】
仕切りカバー３２は以上のように構成されているので、複数のプリント基板２０にそれぞれ配設された端子台２１とＩ／Ｏボード用コネクタ２２との間が絶縁板からなる仕切りカバー３２でまとめて仕切られる。
【００３１】
一方、仕切りカバー３２の下方縁部はベースプレート１０に取り付けられた樹脂製の支持体１３に対応する位置で各基板面に当接するように側方カバー３１に取り付けられている。これによって、両端部が支持されベースプレート１０に架橋構造で取り付けられた各プリント基板２０をその中間位置において支持体１３と仕切りカバー３２で挟持することになる。すなわち、各プリント基板２０は支持体１３と仕切りカバー３２によって両方向から押さえ付けられ、上方に撓まないようになっている。
【００３２】
続いて、かかるプロセスコントローラ１の組立て方法及び作用について説明する。
【００３３】
最初にベースプレート１０に支持体１３とファスナ１２を予め取り付けておく。なお、支持体１３の高さを微調整する必要がある場合はワッシャ１３ｗを支持体１３とベースプレート１０間に介在させる。支持体自体は樹脂でできており、絶縁性を有しているので高さ調整用に金属製のワッシャ１３ｗを使用しても何ら問題はない。
【００３４】
続いて、ベースプレート１０に複数のプリント基板２０を取り付ける。プリント基板２０の取り付けに当たって、端子台２１及びＩ／Ｏボード用コネクタ２２の装着されたプリント基板２０に加えて、ＣＰＵボードコネクタや通信用コネクタの装着されたプリント基板も取り付ける。
【００３５】
Ｉ／Ｏボード用コネクタ２２及び端子台２１の装着されたプリント基板２０を取り付けるに当たって、図５に示すようにプリント基板２０の一端突起部をベースプレート縁辺起立部１１の孔部１１ａに係合させる。そして、基板他端部の位置決め孔（図示せず）をファスナ１２の位置決め突起１２ｂに係合させると共に、プリント基板２０の縁部をファスナ１２の爪部１２ｃにラッチ係合させる。
【００３６】
これによって、従来型プロセスコントローラのように各プリント基板に金属製のアングルを複数のネジを介して取り付けたり、各プリント基板の端部をネジ等でベースプレートに取り付けたりせずに済み、組み付け作業性を格段に向上させることができる。さらには、プロセスコントローラ１に使用するネジの総数を従来型のプロセスコントローラに較べて極端に減らすことができるので、プロセスコントローラ取り付け後の制御盤１１１，１１２・・に加わる振動等によってネジが脱落し、プリント基板２０の回路パターン間を短絡（ショート）することがなくなる。また、プリント基板２０には金属製のＬ型アングルが設けられていないので、脱落したネジとこのＬ型アングルを介してプリント基板の回路パターンがショートすることもなくなる。
【００３７】
また、Ｌ型アングル取付用の特別な領域を各プリント基板２０に設ける必要がなく、プリント基板の占有面積を大きくとらなくて済む。従って、複数のプリント基板２０を併設配置するプロセスコントローラ１の場合、従来に比べてプロセスコントローラ自体の小型化を図ることができる。
【００３８】
次いで、側方カバー３１をベースプレート１０に取り付けると共に、側方カバー３１に絶縁性の仕切りカバー３２を取り付ける。また、プリント基板のＩ／Ｏボード用コネクタ２２にＩ／Ｏボード（図示せず）を差し込むとともにＣＰＵボード用コネクタにＣＰＵボード（図示せず）を差し込む。また、通信用ボードコネクタに通信用ボード７０を差し込む。
【００３９】
絶縁性の仕切りカバー３２を側方カバー３１に取り付けることで、各プリント基板２０の端子台２１とＩ／Ｏボード用コネクタ２２間を支持体１３と仕切りカバー３２とで挟み込むことができる。すなわち、一枚の仕切りカバー３２を側方カバー３１に取り付けることで、多数併設配置されたプリント基板２０の浮き上がりを同時に阻止する。従って、従来型プロセスコントローラのようにプリント基板２０の浮き上がり防止のために各プリント基板２０にＬ型アングルを備える必要がなく、部品点数削減によるコスト低減と組み付け作業効率の向上を図ることができる。
【００４０】
続いて、上方カバー３１を取り付け、プロセスコントローラ１の組み付けを完成する。そして、このように組み付けたプロセスコントローラ１を制御盤１１１，１１２内に取り付け、制御盤１１１，１１２・・のドアを開いた状態で端子台２１への配線作業や外部コンピュータとの通信用コードの接続作業を行う。
【００４１】
プロセスコントローラを制御盤内に取り付けた状態での配線接続作業は目視しづらいので、上述したように配線作業中、作業者が電線の導体露出部を端子台近傍の仕切りカバー３２に誤って接触させることがある。しかしながら、仕切りカバー３２は絶縁性材料でできているので、電線に電圧がかかった状態でこのようなことがあっても電線が短絡（ショート）することはない。従って、このようなやりにくい配線接続を作業者は安心して行うことができる。なお、アクチュエータやセンサの追加や変更に伴い、プロセスコントローラ１の配線換えを行う場合が生じても、作業者は同様に電線の配線換えを安心して行うことができる。
【００４２】
一方、制御盤１１１，１１２・・の使用態様に応じてＩ／ＯボードやＣＰＵボードの交換を行う場合がある。このような場合にプロセスコントローラ１の上部カバー３３を外してＩ／ＯボードやＣＰＵボードを引き抜くとプリント基板２０も共に引っ張られて基板自体が浮き上がろうとするが、全てのプリント基板２０はその端子台２１とＩ／Ｏボード用コネクタ２２との間を仕切りカバー３２の下縁部で押さえられているので、このような浮き上がりが生じることはない。従って、プリント基板２０の両端支持部が応力集中により破損することもない。
【００４３】
なお、図６は本発明の上述の実施形態にかかるプロセスコントローラの変形例を上方カバー３３を外した状態で示す平面図である。ここでは、プリント基板は上述したプリント基板２０の他に多種類のプリント基板２０’，２０”・・からなり、それぞれ適当な数の端子台やＩ／Ｏボード用コネクタを備えている。しかしながら、プリント基板２０，２０’，２０”・・はベースプレート１０上に上述の実施形態と同様の構成で架設され、かつプリント基板上の端子台やＩ／Ｏボード用コネクタは基板長手方向に配設されている点で上述の実施形態と構造上共通している。従って、プリント基板２０，２０’，２０”・・はＬ型アングルを備えず、これに伴うネジも有していない。また、プリント基板２０，２０’，２０”・・は全て支持体１３と単一の仕切りカバー３２とで挟持されており、撓まないようになっている。従って、上述の実施形態と同様な効果を奏することができる。
【００４４】
【発明の効果】
以上説明したように、本発明に係るプロセスコントローラは、プリント基板の一側端部をベースプレートの起立部に形成された係合孔に係合させるだけでプリント基板の一側端部を容易に支持できる。また、プリント基板の他側端部をベースプレート上に立設されたファスナによって支持すると共に、プリント基板の両端部間がベースプレートに立設した支持体によって支持するので、プリント基板がベースプレート側に撓むのを防止する。また、従来のようにＬ型アングルを用いることなく支持体を介してプリント基板をベースプレート上に支持するので、Ｌ型アングル取り付けに伴う多数のネジをプリント基板に螺合させる必要がない。そのため、制御盤の使用に際して振動等によりネジが脱落することがなくなり、これに伴う基板回路パターン間の短絡（ショート）を阻止することができる。
【００４５】
また、請求項２に記載の本発明に係るプロセスコントローラは、請求項１に記載したプリント基板のＬ型アングル省略に伴う組み付け作業効率の大幅な向上に加えて、Ｌ型アングルを省略することで生じるＩ／ＯボードやＣＰＵボード等の引き抜きの際のプリント基板の浮き上がりを、絶縁板の一辺縁部と支持体とでプリント基板を挟み込むことで阻止することができる。
【００４６】
また、本発明の請求項３に記載のプロセスコントローラは、ベースプレートに複数のプリント基板を並列配置したプロセスコントローラにおいて、複数のＬ型アングル及びこれを各プリント基板に取り付ける多数のネジを一切使用しないで済む。これによってプロセスコントローラの部品点数削減と組立て工数低減が図れる。併せて、カバーの絶縁板一枚と各支持体とで複数のプリント基板をまとめて挟持して基板浮き上がりを防止できるので、この点でもプロセスコントローラの部品点数削減と組立て工数低減が図れる。
【００４７】
また、本発明の請求項４に記載の制御盤は、請求項１乃至請求項３の何れかに記載のプロセスコントローラを備えた制御盤であり、制御盤に加わる振動等によりネジ等が脱落して故障することのない信頼性の高い制御盤である。
【図面の簡単な説明】
【図１】本発明の一実施形態にかかるプロセスコントローラの使用態様を説明する概略図である。
【図２】本発明の一実施形態にかかるプロセスコントローラを、仕切りカバーと上方カバーを取り外した状態で示す斜視図である。
【図３】本発明の一実施形態にかかるプロセスコントローラを、上方カバーを取り外した状態で示す斜視図である。
【図４】本発明の一実施形態にかかるプロセスコントローラを示す斜視図である。
【図５】図２乃至図４に示したプロセスコントローラのプリント基板をベースプレートに取り付ける方法を示した斜視図である。
【図６】図２のプロセスコントローラの変形例を上方カバーを外した状態で示す平面図である。
【図７】従来のプロセスコントローラのプリント基板及びその支持構造を説明する斜視図である。
【符号の説明】
１    プロセスコントローラ
１０    ベースプレート
１１    起立部
１１ａ    長孔
１２    ファスナ
１２ａ    基部
１２ｂ    位置決め突起
１２ｃ    爪部
１３    支持体
１３ａ    平坦部
１３ｗ    ワッシャ
２０，２０’，２０”・・    プリント基板
２０ａ    突起部
２１    端子台
２２    Ｉ／Ｏボード用コネクタ
３０    カバー
３１    側方カバー
３１ａ，３１ｂ    接続部
３１ｅ，３２ｅ，３３ｅ    放熱孔
３２    仕切りカバー
３２ｅ    放熱孔
３３    上方カバー
３３ｅ    放熱孔
４１    ファスナ
４２    ファスナ
５０    プリント基板
５０ｐ    印刷部
５１    端子台
５２    Ｉ／Ｏボード用コネクタ
５５    Ｌ型アングル
５６，５７    ネジ
１００    監視装置
１０１    バルブ
１０２    差圧センサ
１１１，１１２・・    制御盤
【図１】
2004165407.tif 000003
【図２】
2004165407.tif 000004
【図３】
2004165407.tif 000005
【図４】
2004165407.tif 000006
【図５】
2004165407.tif 000007
【図６】
2004165407.tif 000008
【図７】
2004165407.tif 000009